(57)【要約】【課題】カードの押さえをカバーが行っている従来技術のカード用コネクタに対して、カバーが自動復帰する際に、カバーにカードが追従して移動してしまう恐れがないような、カードの排出操作が容易でかつ円滑なカード用コネクタを提供する。【解決手段】カードを収容可能な収容部１１ｓを有するハウジング１１と、ハウジング１１の一部を構成し、収容部１１ｓを覆うように配置され、カードの挿入方向及び排出方向へ移動可能で、排出方向への移動時にカードを排出方向へ移動可能なカバー１２と、ハウジング１１の一部を構成し、カードの複数の電極と接続可能な複数のコンタクト端子１３を有するケース１４と、ハウジング１１に配され、カバー１２をカードの挿入方向へ付勢する付勢手段１８とからなるカード用コネクタにおいて、ケース１４には、カードの上方側を押える押え部１４ｐが設けられていることを特徴としている。【選択図】図１
2012234631.tif 000002
【特許請求の範囲】
【請求項１】
カードを収容可能な収容部を有するハウジングと、前記ハウジングの一部を構成し、前記収容部を覆うように配置され、前記カードの挿入方向及び排出方向へ移動可能で、前記排出方向への移動時に前記カードを前記排出方向へ移動可能なカバーと、前記ハウジングの一部を構成し、前記カードの複数の電極と接続可能な複数のコンタクト端子を有するケースと、前記ハウジングに配され、前記カバーを前記カードの前記挿入方向へ付勢する付勢手段とからなるカード用コネクタにおいて、
前記ケースには、前記カードの上方側を押える押え部が設けられていることを特徴とするカード用コネクタ。
【請求項２】
前記カバーには、前記押え部が配される第１の開口部が形成されており、
前記ケースには、前記第１の開口部の一部と当接し前記カバーの移動を案内している第１の案内部を有していることを特徴とする請求項１に記載のカード用コネクタ。
【請求項３】
前記カバーには、第２の開口部が形成されており、
前記ケースには、前記第２の開口部の一部と当接し前記カバーの移動を案内している第２の案内部を有していることを特徴とする請求項１または請求項２に記載のカード用コネクタ。
【請求項４】
前記カバーは、金属製であり、前記カバーと接触して接地可能な接地部を前記ケースに設けたことを特徴とする請求項１ないし請求項３のいずれかに記載のカード用コネクタ。
【請求項５】
前記複数のコンタクト端子は、前記カードの挿入方向及び排出方向で２列に配置され、
前記接地部は、前記カードの挿入方向側に配置された前記コンタクト端子の列の側方に配置されていることを特徴とする請求項４に記載のカード用コネクタ。
【請求項６】
前記複数のコンタクト端子は、前記カードの挿入方向及び排出方向で２列に配置され、
前記押え部は、前記カードの排出方向側に配置された前記コンタクト端子の列の側方に配置されていることを特徴とする請求項１ないし請求項５のいずれかに記載のカード用コネクタ。
【発明の詳細な説明】
【技術分野】
【０００１】
本発明は、携帯電話機、パーソナルコンピュータ等の小型電子機器に用いられるカード用コネクタに関し、特に、カードにデータを読み書きできるＩＣカードのようなカードのために使用されるカード用コネクタに関するものである。
【背景技術】
【０００２】
携帯電話機、パーソナルコンピュータ等の小型電子機器に用いられるカードは、概ね矩形で板状の形状をしたものが用いられており、特に、携帯電話機等の携帯機器に用いられるカードは、携帯機器の高機能化や小型化に伴い、小型化や薄型化が進められてきた。そして、このようなカードに使用されるカード用コネクタに対しても、同様に小型化や薄型化が求められてきた。
【０００３】
このようなカード用コネクタの従来技術として、特許文献１では、図１０に示すように、構造が簡単で、カードの排出操作を簡単かつ円滑にすることができるメモリカード用コネクタ９０１が提案されている。図１０に示すメモリカード用コネクタ９０１は、絶縁ハウジング９１０と、絶縁ハウジング９１０上に前後方向へ移動可能に取り付けられて絶縁ハウジング９１０との間にカード挿入スロット９２０を形成するスライドカバー９３０と、絶縁ハウジング９１０に固定されて接触部をカード挿入スロット９２０内に臨ませた６個の接続用端子９５０と、絶縁ハウジング９１０に固定された２個の第１固定用端子９６０及び第２固定用端子９７０と、絶縁ハウジング９１０とスライドカバー９３０に係合してスライドカバー９３０を後方に付勢するコイルばね９８０とから構成されている。
【０００４】
メモリカード用コネクタ９０１は、図１１（ａ）に示すメモリカード８００がカード挿入スロット９２０に挿入された状態から、スライドカバー９３０の取っ手９３３をもってスライドカバー９３０を前方へ引き出すと、図１１（ｂ）に示すように、スライドカバー９３０の２つのイジェクト爪９３９によってメモリカード８００がスライドカバー９３０と同じように前方へ引き出される。そして、メモリカード８００を取り出すためにスライドカバー９３０の取っ手９３３から手を離すと、図１１（ｃ）に示すように、コイルばね９８０の復元力によってスライドカバー９３０のみが後方へ移動して初期位置に復帰し、メモリカード８００が引き出し容易な状態となる。このようにして、メモリカード用コネクタ９０１は、操作者に操作されるスライドカバー９３０が自動復帰するようになっており、メモリカード８００の排出操作を簡単かつ円滑にすることができるとしている。
【先行技術文献】
【特許文献】
【０００５】
【特許文献１】特開２００９−２１１９１号公報
【発明の概要】
【発明が解決しようとする課題】
【０００６】
しかしながら、従来技術では、メモリカード８００の紙面方向の押さえをスライドカバー９３０が行っているため、スライドカバー９３０が自動復帰する際に、スライドカバー９３０に押さえられているメモリカード８００が、スライドカバー９３０に追従して移動してしまう恐れがあった。このため、メモリカード８００をつまんで取り出す部分が狭くなるか、最悪の場合、カード挿入スロット９２０に挿入された状態近くまでメモリカード８００が戻ってしまうと言う問題があった。
【０００７】
本発明は、上述した課題を解決するもので、カードの排出操作が容易でかつ円滑なカード用コネクタを提供することを目的とする。
【課題を解決するための手段】
【０００８】
この課題を解決するために、本発明の請求項１によるカード用コネクタは、カードを収容可能な収容部を有するハウジングと、前記ハウジングの一部を構成し、前記収容部を覆うように配置され、前記カードの挿入方向及び排出方向へ移動可能で、前記排出方向への移動時に前記カードを前記排出方向へ移動可能なカバーと、前記ハウジングの一部を構成し、前記カードの複数の電極と接続可能な複数のコンタクト端子を有するケースと、前記ハウジングに配され、前記カバーを前記カードの前記挿入方向へ付勢する付勢手段とからなるカード用コネクタにおいて、前記ケースには、前記カードの上方側を押える押え部が設けられていることを特徴としている。
【０００９】
また、本発明の請求項２によるカード用コネクタは、前記カバーには、前記押え部が配される第１の開口部が形成されており、前記ケースには、前記第１の開口部の一部と当接し前記カバーの移動を案内している第１の案内部を有していることを特徴としている。
【００１０】
また、本発明の請求項３によるカード用コネクタは、前記カバーには、第２の開口部が形成されており、前記ケースには、前記第２の開口部の一部と当接し前記カバーの移動を案内している第２の案内部を有していることを特徴としている。
【００１１】
また、本発明の請求項４によるカード用コネクタは、前記カバーが、金属製であり、前記カバーと接触して接地可能な接地部を前記ケースに設けたことを特徴としている。
【００１２】
また、本発明の請求項５によるカード用コネクタは、前記複数のコンタクト端子が、前記カードの挿入方向及び排出方向で２列に配置され、前記接地部が、前記カードの挿入方向側に配置された前記コンタクト端子の列の側方に配置されていることを特徴としている。
【００１３】
また、本発明の請求項６によるカード用コネクタは、前記複数のコンタクト端子が、前記カードの挿入方向及び排出方向で２列に配置され、前記押え部が、前記カードの排出方向側に配置された前記コンタクト端子の列の側方に配置されていることを特徴としている。
【発明の効果】
【００１４】
請求項１の発明によれば、本発明のカード用コネクタは、ハウジングのケースに、カードの上方側を押える押え部が設けられているので、カバーが自動復帰する際に、カバーとカードが当接して擦れることを防止できる。このことにより、移動するカバーに追従してカードが移動してしまうことが軽減できる。したがって、カードの排出操作が容易でかつ円滑なカード用コネクタを提供できる。
【００１５】
請求項２の発明によれば、本発明のカード用コネクタは、ケースに設けられた第１の案内部が、カバーに形成された第１の開口部の一部と当接し、カバーの移動を案内しているので、はんだ付けされた部分以外の箇所で、カバーの移動の案内を行なうことができる。このことにより、はんだ付け時のフラックス上り等でカバーの動作を阻害する影響を軽減できる。
【００１６】
請求項３の発明によれば、本発明のカード用コネクタは、ケースに設けられた第２の案内部が、カバーに形成された第２の開口部の一部と当接し、カバーの移動を案内しているので、はんだ付けされた部分以外の箇所で、カバーの移動の案内を行なうことができる。このことにより、はんだ付け時のフラックス上り等でカバーの動作を阻害する影響をより軽減できる。
【００１７】
請求項４の発明によれば、本発明のカード用コネクタは、金属製のカバーと接触して接地可能な接地部をケースに設けたので、簡単な構成でカバーを接地させることができる。
【００１８】
請求項５の発明によれば、本発明のカード用コネクタは、接地部が、カードの挿入方向側に配置されたコンタクト端子の列の側方に配置されているので、カード装着時に確実にカバーを接地させることができるとともに、カード用コネクタの全体の幅を狭くすることができる。
【００１９】
請求項６の発明によれば、本発明のカード用コネクタは、押え部が、カードの排出方向側に配置されたコンタクト端子の列の側方に配置されているので、カードの排出時及びカバーの自動復帰時において、押え部がカードの挿抜側の端部を押さえることなく中央部分を押えることができる。このため、バランス良くカードを押さえることができるので、コンタクト端子による付勢力でカードが傾くことによるカバーとの接触を効果的に避けることができる。このことにより、移動するカバーに追従してカードが移動してしまうことがより軽減できる。
【００２０】
したがって、本発明のカード用コネクタは、カードの排出操作が容易でかつ円滑なカード用コネクタを提供できる。
【図面の簡単な説明】
【００２１】
【図１】本発明の第１実施形態のカード用コネクタを説明する図であって、カードの挿入方向に見た分解斜視図である。
【図２】本発明の第１実施形態のカード用コネクタを説明する図であって、カードの排出方向に見た分解斜視図である。
【図３】本発明の第１実施形態のカード用コネクタを説明する図であって、図３（ａ）は、図１に示すＺ１側から見たカード用コネクタの上面図であり、図３（ｂ）は、カードが挿入されたカード用コネクタの上面図である。
【図４】本発明の第１実施形態のカード用コネクタを説明する図であって、図４（ａ）は、図１に示すＺ２側から見たカード用コネクタの底面図であり、図４（ｂ）は、カードが挿入されたカード用コネクタの底面図である。
【図５】本発明の第１実施形態のカード用コネクタを説明する図であって、図５（ａ）は、図１に示すＺ１側から見たカバーの上面図であり、図５（ｂ）は、図１に示すＺ１側から見たケースの上面図である。
【図６】本発明の第１実施形態のカード用コネクタを説明する図であって、図６（ａ）は、図２に示すＹ１側から見たカード用コネクタの背面図であり、図６（ｂ）は、図３（ｂ）に示すＶＩ−ＶＩ線における断面図であり、図６（ｃ）は、図６（ｂ）に示すＰ部分の拡大断面図であり、図６（ｄ）は、図６（ｂ）に示すＱ部分の拡大断面図である。
【図７】本発明の第１実施形態のカード用コネクタに対するカードの挿入、排出、取り出しを説明する図であって、図７（ａ）は、カードが挿入された状態を示した上面図であり、図７（ｂ）は、カードが排出された状態を示した上面図であり、図７（ｃ）は、カバーが自動復帰した状態を示した上面図でカードの取り出しをする際の図である。
【図８】本発明の第１実施形態のカード用コネクタに対するカードの挿入、排出を説明する図であって、図８（ａ）は、カードが挿入された状態を示したＸ１側（図１に示す）から見た側面図であり、図８（ｂ）は、カードが排出された状態を示したＸ１側（図１に示す）から見た側面図であり、図８（ｃ）は、カードが挿入された状態を示したＸ２側（図１に示す）から見た側面図であり、図８（ｄ）は、カードが排出された状態を示したＸ２側（図１に示す）から見た側面図である。
【図９】は、本発明の第１実施形態のカード用コネクタの変形例を説明する図であって、図９（ａ）は、図３（ａ）の図と比較した変形例１のカード用コネクタの上面図であり、図９（ｂ）は、図３（ａ）の図と比較した変形例２のカード用コネクタの上面図である。
【図１０】従来例１におけるメモリカード用コネクタ９０１を説明する分解概略斜視図である。
【図１１】従来例１におけるメモリカード用コネクタ９０１に対するメモリカード８００の挿入、イジェクト、取り出しの各操作を説明する図であって、図１１（ａ）はメモリカード８００の挿入時、図１１（ｂ）はメモリカード８００のイジェクト時、図１１（ｃ）はメモリカード８００の取り出し時の状態を示した上面図である。
【発明を実施するための形態】
【００２２】
以下、本発明の実施の形態について添付図面を参照して詳細に説明する。
【００２３】
［第１実施形態］
図１は、本発明の第１実施形態のカード用コネクタ１０１を説明する図であって、カードＫＤの挿入方向ＩＤに見た分解斜視図である。図２は、本発明の第１実施形態のカード用コネクタ１０１を説明する図であって、カードＫＤの排出方向ＯＤに見た分解斜視図である。図３は、本発明の第１実施形態のカード用コネクタ１０１を説明する図であって、図３（ａ）は、図１に示すＺ１側から見たカード用コネクタ１０１の上面図であり、図３（ｂ）は、カードＫＤが挿入されたカード用コネクタ１０１の上面図である。図４は、本発明の第１実施形態のカード用コネクタ１０１を説明する図であって、図４（ａ）は、図１に示すＺ２側から見たカード用コネクタ１０１の底面図であり、図４（ｂ）は、カードＫＤが挿入されたカード用コネクタ１０１の底面図である。図５は、本発明の第１実施形態のカード用コネクタ１０１を説明する図であって、図５（ａ）は、図１に示すＺ１側から見たカバー１２の上面図であり、図５（ｂ）は、図１に示すＺ１側から見たケース１４の上面図である。図６は、本発明の第１実施形態のカード用コネクタ１０１を説明する図であって、図６（ａ）は、図２に示すＹ１側から見たカード用コネクタ１０１の背面図であり、図６（ｂ）は、図３（ｂ）に示すＶＩ−ＶＩ線における断面図であり、図６（ｃ）は、図６（ｂ）に示すＰ部分の拡大断面図であり、図６（ｄ）は、図６（ｂ）に示すＱ部分の拡大断面図である。
【００２４】
本発明の第１実施形態のカード用コネクタ１０１は、図１ないし図５に示すように、カードＫＤを収容可能な収容部１１ｓを有するハウジング１１と、カードＫＤの挿入方向ＩＤ及び排出方向ＯＤへ移動可能なカバー１２と、複数のコンタクト端子１３を有するケース１４と、カバー１２をカードＫＤの挿入方向ＩＤへ付勢する付勢手段１８とを備えて構成される。
【００２５】
カバー１２は、導電性の金属板からなり、図１ないし図６に示すように、打ち抜き加工及び折り曲げ加工等の加工方法を用い、平面視して矩形状に形成されるとともに、側面視して平板状のカバー本体１２ｆからコの字状に両端側が折り曲げられた側壁を有した形状で形成されている。また、後述するケース１４とともにハウジング１１を構成しており、カードＫＤが収容される収容部１１ｓを覆うようにして配置されている。
【００２６】
カバー１２には、図５（ａ）に示すように、後述するケース１４に設けられた押え部１４ｐが配される第１の開口部１２ｃが左右に1箇所ずつ形成されており、更に、後述するケース１４に設けられたガイド部１６が配される第２の開口部１２ｋが片側側面近傍に形成されている。そして、第１の開口部１２ｃは、図６（ａ）に示すように、押え部１４ｐの上面がカバー１２の上面より高くなることを可能にしている。このことにより、押え部１４ｐを全て覆って作製する場合と比較して、カード用コネクタ１０１の厚みを薄くできる。
【００２７】
また、カバー１２には、図２、図５（ａ）及び図６（ａ）に示すように、カバー本体１２ｆの後端から下方へ垂設された４つのイジェクト爪４５と、カバー本体１２ｆの後端から下方へ垂設され付勢手段１８側に設けられた付勢片８５と、コの字状に折り曲げられた両端側の後端に設けられた２つのガイド爪６５と、ガイド爪６５から上方へ垂設された２つの停止面１２ｔと、カバー本体１２ｆの中心部分に設けられた孔状の引出部１２ｐとが形成されている。そして、イジェクト爪４５は、ハウジング１１の収容部１１ｓにカードＫＤが挿入された際に、カードＫＤの先端の側壁と対向する位置に形成されている。また、付勢片８５は、付勢手段１８の一端側と対向する位置に形成され、ガイド爪６５及び停止面１２ｔは、後述するケース１４に設けられた突設部１４ｔと各々対向する位置に形成されている。
【００２８】
コンタクト端子１３は、ハウジング１１の収容部１１ｓにカードＫＤが挿入された際に、図１ないし図４及び図５（ｂ）に示すように、カードＫＤの複数の電極Ｃ３（図４（ｂ）に示す）と接続可能な位置にケース１４に配され、接点部１３ｓを収容部１１ｓに内に臨ませている。また、複数のコンタクト端子１３は、カードＫＤの挿入方向ＩＤ側に４個並べられ、排出方向ＯＤ側に４個並べられ、２列に配置されている。また、８個のコンタクト端子１３は、ケース１４の周囲から延出して設けられた８個の取出し端子５９と各々接続されている。複数の取出し端子５９は、プリント配線板等（図示していない）のパターンにはんだ付けされて接続される。コンタクト端子１３及び取出し端子５９は、導電性の金属板の打ち抜き加工及び折り曲げ加工等の加工方法を用いて一体に連結して形成され、後述するケース１４の形成時にインサート成形によってケース１４に組み込まれる。
【００２９】
ケース１４は、絶縁性の合成樹脂からなり、図１ないし図５に示すように、平面視して略矩形板状に形成されるとともに、平板状のケース本体１４ｆから上方側に立設された側壁（１４ｗ、１４ｘ）を左右に有している。側壁１４ｗは、側壁１４ｘより幅広に形成され、この幅広側の側壁１４ｗには、上方を開口して付勢手段１８を収容するためのばね収容凹部１４ｒと前述したガイド部１６とが形成されている。付勢手段１８には、コイルばねを用いている。なお、付勢手段１８にコイルばねを用いたが、コイルばねに限るものではない。また、付勢手段（以下コイルばねと言う）１８は、ハウジング１１に配されていれば良く、例えばカバー１２に設ける構成にしても良い。
【００３０】
また、ハウジング１１の収容部１１ｓにカードＫＤが挿入された際に、ケース１４の左右の側壁（１４ｗ、１４ｘ）には、図５（ｂ）に示すように、カードＫＤの上方側を押える押え部１４ｐが設けられている。また、押え部１４ｐは、カードＫＤの排出方向ＯＤ側に配置された４個のコンタクト端子１３の列の側方に配置されている。また、押え部１４ｐは、図６（ｃ）及び図６（ｄ）に示すように、押え部１４ｐの補強のために、金属製の補強部１４ｍと絶縁性の合成樹脂とが一体に形成されて構成されている。なお、押え部１４ｐは、金属製の補強部１４ｍのみで形成されるか、合成樹脂のみで形成されていても良い。
【００３１】
また、カード用コネクタ１０１が組み立てられた際に、ケース１４には、図５（ｂ）に示すように、接地部１７が設けられ、カードＫＤの挿入方向ＩＤ側に配置された４個のコンタクト端子１３の列の側方に配置されている。接地部１７は、図４及び図５（ｂ）に示すように、接地部１７の接触部１７ｓがケース１４の側壁１４ｘの外側に向くように湾曲して配置され、カバー１２の側壁に設けられた接地壁１２ｓの内側面と接触部１７ｓとが接触している。また、接地部１７は、ケース１４の周囲から延出して設けられた接地端子１９と接続されていて、プリント配線板等（図示していない）のパターンと接地端子１９とを接続させることにより接地が可能になる。このことにより、金属製のカバー１２と接触して接地可能な接地部１７をケース１４に設けたので、簡単な構成でカバー１２を接地させることができる。
【００３２】
また、接地部１７が、カードＫＤの挿入方向ＩＤ側に配置された４個のコンタクト端子１３の列の側方に配置されているので、カードＫＤ装着時に確実にカバー１２を接地させることができるとともに、カード用コネクタ１０１の全体の幅を狭くすることができる。また、接地部１７及び接地端子１９は、コンタクト端子１３及び取出し端子５９と同様に、導電性の金属板の打ち抜き加工及び折り曲げ加工等の加工方法を用いて一体に連結して形成され、ケース１４の形成時にインサート成形によってケース１４に組み込まれる。
【００３３】
次に、カード用コネクタ１０１の動作について説明する。
図７は、本発明の第１実施形態のカード用コネクタ１０１に対するカードＫＤの挿入、排出、取り出しを説明する図であって、図７（ａ）は、カードＫＤが挿入された状態を示した上面図であり、図７（ｂ）は、カードＫＤが排出された状態を示した上面図であり、図７（ｃ）は、カバー１２が自動復帰した状態を示した上面図でカードＫＤの取り出しをする際の図である。図８は、本発明の第１実施形態のカード用コネクタ１０１に対するカードＫＤの挿入、排出を説明する図であって、図８（ａ）は、カードＫＤが挿入された状態を示したＸ１側（図１に示す）から見た側面図であり、図８（ｂ）は、カードＫＤが排出された状態を示したＸ１側（図１に示す）から見た側面図であり、図８（ｃ）は、カードＫＤが挿入された状態を示したＸ２側（図１に示す）から見た側面図であり、図８（ｄ）は、カードＫＤが排出された状態を示したＸ２側（図１に示す）から見た側面図である。
【００３４】
先ず、カード用コネクタ１０１の収容部１１ｓ内にカードＫＤを挿入したときは、図３（ｂ）及び図７（ａ）に示すような状態となる。その際には、カードＫＤの先端の側壁がカバー１２のイジェクト爪４５に当接するか近接している。また、図４（ｂ）に示すように、カードＫＤの複数の電極Ｃ３は、コンタクト端子１３の接点部１３ｓに弾性接触し、プリント配線板等にカード用コネクタ１０１が実装された場合に、プリント配線板等の電気回路と電気的に接続される。また、カードＫＤは、図３（ｂ）、図６及び図７（ａ）に示すように、ケース１４の左右の側壁（１４ｗ、１４ｘ）に設けられた２つの押え部１４ｐによって、カードＫＤの上方側が押えられている。
【００３５】
また、図６（ｃ）及び図８（ａ）に示すように、カバー１２の第１の開口部１２ｃの端面１２ｅと、押え部１４ｐと一体になって形成された第１の案内部１４ａとが当接しているとともに、図６（ｄ）及図８（ｃ）に示すように、カバー１２の第２の開口部１２ｋの端面１２ｎと、ガイド部１６と一体になって形成された第２の案内部１６ａとが当接しており、カバー１２の上下方向を規制している。また、図３（ｂ）、図６（ｄ）及び図７（ａ）に示すように、側壁１４ｗに設けられた押え部１４ｐの側端面１４ｄとガイド部１６側の第１の開口部１２ｃの端面１２ｄとが当接しており、カバー１２の左右方向を規制している。また、側壁１４ｗに設けられた押え部１４ｐには、図６（ｄ）に示すように、カバー１２の上下方向を規制するために、カバー１２の上面部分に張出した延設部１４ｈを設けている。また、図８（ａ）及び図８（ｃ）に示すように、ガイド爪６５は、ケース１４に設けられた突設部１４ｔと対向する位置に離間して形成されている。このガイド爪６５と突設部１４ｔは、カバー１２に不用な応力がかかり、ケース１４から上方向（図１に示すＺ１方向）へ外れるのを防止している。
【００３６】
次に、カードＫＤをカード用コネクタ１０１の収容部１１ｓから排出するために、カバー１２の引出部１２ｐを利用してカバー１２を排出方向ＯＤへ引き出すと、カバー１２のイジェクト爪４５によってカードＫＤが前方（排出方向ＯＤ）へ引き出され、図７（ｂ）、図８（ｂ）及び図８（ｄ）に示すような状態となる。この際に、第１の開口部１２ｃの端面１２ｅが第１の案内部１４ａと摺動するとともに、第２の開口部１２ｋの端面１２ｎが第２の案内部１６ａと摺動するので、カバー１２のスライド移動を可能としている。また、押え部１４ｐ及びガイド部１６の挿入方向ＩＤ側の端面と、第１の開口部１２ｃ及び第２の開口部１２ｋの挿入方向ＩＤ側の端面とが当接するようになっているので、カバー１２の排出方向ＯＤへの移動が制限され、ケース１４からカバー１２が排出方向ＯＤへ外れるのを防止している。
【００３７】
また、カードＫＤが前方へ引き出される際には、カードＫＤの上方側が２つの押え部１４ｐを摺動するとともに、２つの押え部１４ｐによって、カードＫＤの上方側が常に押えられている。また、カバー１２の付勢片８５によって、ケース１４のばね収容凹部１４ｒに収容されたコイルばね１８の片側を付勢するので、カバー１２を排出方向ＯＤへ引き出すと、ばね収容凹部１４ｒ内でコイルばね１８が圧縮縮小され、カバー１２をカードＫＤの挿入方向ＩＤへ付勢するようになる。
【００３８】
最後に、カードＫＤを取り出すためにカバー１２に加えていた力を解除すると、コイルばね１８の復元力によってカバー１２のみが挿入方向ＩＤへ移動して初期位置に復帰し、図７（ｃ）に示すような状態となり、カードＫＤを容易に取り出せるようになる。この際に、第１の開口部１２ｃの端面１２ｅが第１の案内部１４ａと摺動するとともに、第２の開口部１２ｋの端面１２ｎが第２の案内部１６ａと摺動するので、カバー１２のスライド移動を可能としている。また、停止面１２ｔが突設部１４ｔに当接するようにしているので、カバー１２の挿入方向ＩＤへの移動が制限され、ケース１４からカバー１２が挿入方向ＩＤへ外れるのを防止している。
【００３９】
このようにして構成されたカード用コネクタ１０１は、カバー１２が挿入方向ＩＤへ移動して初期位置に復帰する際に、２つの押え部１４ｐによって、カードＫＤの上方側が常に押えられているので、カバー１２とカードＫＤが当接して擦れることを防止できる。このことにより、移動するカバー１２に追従してカードＫＤが移動してしまうことが軽減できる。
【００４０】
さらに、左右の側壁（１４ｗ、１４ｘ）に設けられた押え部１４ｐが、カードＫＤの排出方向ＯＤ側に配置されたコンタクト端子１３の列の側方に配置されているので、カードＫＤの排出時及びカバー１２の自動復帰時において、押え部１４ｐがカードＫＤの挿抜側の端部を押さえることなく中央部分を押えることができる。このため、バランス良くカードＫＤを押さえることができるので、コンタクト端子１３による付勢力でカードＫＤが傾くことによるカバー１２との接触を効果的に避けることができる。このことにより、移動するカバー１２に追従してカードＫＤが移動してしまうことがより軽減できる。
【００４１】
また、図１０に示す従来例は、スライドカバー９３０の抜け止め及び前後方向へ移動のガイドのために、スライドカバー９３０の左右に設けた第１ガイド片９４５を左右の第１固定用端子９６０の水平部９６１と係合させているが、本発明のカード用コネクタ１０１は、第１の案内部１４ａが第１の開口部１２ｃの端面１２ｅと当接させ摺動させるとともに、第２の案内部１６ａが第２の開口部１２ｋの端面１２ｎと当接させ摺動させることにより、カバー１２の抜け止め及び前後方向へのスライド移動を可能としている。このため、従来例では、第１固定用端子９６０のはんだ付けの時のフラックス上り等で第１固定用端子９６０の水平部９６１の付いたフラックスが、スライドカバー９３０の移動動作を阻害する恐れがあったが、本発明のカード用コネクタ１０１では、はんだ付けされる部分以外の箇所で、具体的には、第１の案内部１４ａ及び第１の開口部１２ｃと第２の案内部１６ａ及び第２の開口部１２ｋとで、カバー１２のスライド移動を行なうことができる。このことにより、はんだ付け時のフラックス上り等でカバー１２の動作を阻害する影響を軽減できる。
【００４２】
以上により、本発明のカード用コネクタ１０１は、ハウジング１１のケース１４に、カードＫＤの上方側を押える押え部１４ｐが設けられているので、カバー１２が自動復帰する際に、カバー１２とカードＫＤが当接して擦れることを防止できる。このことにより、移動するカバー１２に追従してカードＫＤが移動してしまうことが軽減できる。したがって、カードＫＤの排出操作が容易でかつ円滑なカード用コネクタ１０１を提供できる。
【００４３】
また、左右の側壁（１４ｗ、１４ｘ）に設けられた押え部１４ｐが、カードＫＤの排出方向ＯＤ側に配置されたコンタクト端子１３の列の側方に配置されているので、カードＫＤの排出時及びカバー１２の自動復帰時において、押え部１４ｐがカードＫＤの挿抜側の端部を押さえることなく中央部分を押えることができる。このため、バランス良くカードＫＤを押さえることができるので、コンタクト端子１３による付勢力でカードＫＤが傾くことによるカバー１２との接触を効果的に避けることができる。このことにより、移動するカバー１２に追従してカードＫＤが移動してしまうことがより軽減できる。
【００４４】
また、ケース１４に設けられた第１の案内部１４ａが、カバー１２に形成された第１の開口部１２ｃの端面１２ｅと当接し、カバー１２の移動を案内しているので、はんだ付けされた部分以外の箇所で、カバー１２の移動の案内を行なうことができる。このことにより、はんだ付け時のフラックス上り等でカバー１２の動作を阻害する影響を軽減できる。
【００４５】
さらに、ケース１４に設けられた第２の案内部１６ａが、カバー１２に形成された第２の開口部１２ｋの端面１２ｎと当接し、カバー１２の移動を案内しているので、はんだ付けされた部分以外の箇所で、カバー１２の移動の案内を行なうことができる。このことにより、はんだ付け時のフラックス上り等でカバー１２の動作を阻害する影響をより軽減できる。
【００４６】
また、金属製のカバー１２と接触して接地可能な接地部１７をケース１４に設けたので、簡単な構成でカバー１２を接地させることができる。
【００４７】
また、接地部１７が、カードＫＤの挿入方向ＩＤ側に配置されたコンタクト端子１３の列の側方に配置されているので、カードＫＤ装着時に確実にカバー１２を接地させることができるとともに、カード用コネクタ１０１の全体の幅を狭くすることができる。
【００４８】
なお、本発明は上記実施形態に限定されるものではなく、例えば次のように変形して実施することができ、これらの実施形態も本発明の技術的範囲に属する。
【００４９】
図９は、本発明の第１実施形態のカード用コネクタ１０１の変形例を説明する図であって、図９（ａ）は、図３（ａ）の図と比較した変形例１のカード用コネクタＣ０１の上面図であり、図９（ｂ）は、図３（ａ）の図と比較した変形例２のカード用コネクタＣ０２の上面図である。
【００５０】
＜変形例１＞
上記実施形態では、カバー１２の第２の開口部１２ｋに配されるガイド部１６をケース１４に設け、第２の開口部１２ｋの端面１２ｎが、ガイド部１６の第２の案内部１６ａと摺動するように構成したが、図９（ａ）に示すように、カバーＣ１２の第１の開口部Ｃ１２ｃに配される押え部Ｃ１４ｐをケースＣ１４に設け、第１の開口部Ｃ１２ｃの端面Ｃ１２ｅが、押え部Ｃ１４ｐの第１の案内部Ｃ１４ａと摺動するように構成しても良い。
【００５１】
＜変形例２＞
上記実施形態では、カバー１２の第１の開口部１２ｃに配される押え部１４ｐをケース１４に設け、第１の開口部１２ｃの端面１２ｅが押え部１４ｐの第１の案内部１４ａと摺動するように構成したが、図９（ｂ）に示すように、カバーＣ２２の第２の開口部Ｃ２２ｋに配されるガイド部Ｃ２６をケースＣ２４に設け、第２の開口部Ｃ２２ｋの端面Ｃ２２ｎが、ガイド部Ｃ２６の第２の案内部Ｃ２６ａと摺動するように構成しても良い。
【００５２】
＜変形例３＞
上記実施形態では、図７（ｂ）に示すように、カードＫＤが排出された（カバー１２が引き出された）際に、カバー１２と接地部１７が離間する構成にしたが、接地部１７の接触部１７ｓが延出している方向を排出方向ＯＤに向くようにし、接触部１７ｓがハウジング１１の中央付近に配されるようにして、カバー１２が最大限引き出されても、カバー１２と接地部１７とが接触し、常に接地されるような構成にしても良い。
【００５３】
＜変形例４＞
上記実施形態では、側壁１４ｗに設けられた押え部１４ｐの側端面１４ｄとガイド部１６側の第１の開口部１２ｃの端面１２ｄとを当接させ、カバー１２の左右方向を規制するように構成したが、ケース１４の側壁（１４ｗ、１４ｘ）の外側の一部とカバー１２の側壁の内側面とを当接させ、カバー１２の左右方向を規制するように構成しても良い。また、ガイド部１６の押え部１４ｐ側の側面と第２の開口部１２ｋのカバー本体１２ｆ側の端面とを当接させ、カバー１２の左右方向を規制するように構成しても良い。
【００５４】
本発明は上記実施の形態に限定されず、本発明の目的の範囲を逸脱しない限りにおいて適宜変更することが可能である。
【符号の説明】
【００５５】
１１  ハウジング
１１ｓ  収容部
１２、Ｃ１２、Ｃ２２  カバー
１２ｃ、Ｃ１２ｃ  第１の開口部
１２ｋ、Ｃ２２ｋ  第２の開口部
１３  コンタクト端子
１４、Ｃ１４、Ｃ２４  ケース
１４ａ、Ｃ１４ａ  第１の案内部
１４ｐ、Ｃ１４ｐ  押え部
１６ａ、Ｃ２６ａ  第２の案内部
１７  接地部
１８  付勢手段（コイルばね）
ＫＤ  カード
Ｃ３  電極
ＩＤ  挿入方向
ＯＤ  排出方向
１０１、Ｃ０１、Ｃ０２  カード用コネクタ
【図１】
2012234631.tif 000003
【図２】
2012234631.tif 000004
【図３】
2012234631.tif 000005
【図４】
2012234631.tif 000006
【図５】
2012234631.tif 000007
【図６】
2012234631.tif 000008
【図７】
2012234631.tif 000009
【図８】
2012234631.tif 000010
【図９】
2012234631.tif 000011
【図１０】
2012234631.tif 000012
【図１１】
2012234631.tif 000013